(57)【要約】【課題】耐腐食性に富むトルシア形螺合締結装置を得る。【解決手段】金属製のトルシア形高力ボルト２の雄ねじ部２ｇに、ナット１の雌ねじ部１ａを螺着し、ナット１はセラミックスにより形成する。【選択図】  図１
2004245253.tif 000002
【特許請求の範囲】
【請求項１】
雄ねじ部を有するトルシア形高力ボルトと、トルシア形高力ボルトの雄ねじ部と螺合する雌ねじ部を有し、少なくとも該雌ねじ部がセラミックスにより形成されたナットとからなることを特徴とするトルシア形螺合締結装置。
【請求項２】
セラミックスは、アルミナ又はジルコニアであることを特徴とする請求項１記載のトルシア形螺合締結装置。
【発明の詳細な説明】
【０００１】
【発明の属する技術分野】
この発明は、トルシア形高力ボルトを用い、安定した締結力を得ることができるトルシア形螺合締結装置に関するものである。
【０００２】
【従来の技術】
一般に、鉄骨構造部材の主要接合法の一つとして、トルシア形高力ボルトによる摩擦接合が知られている。トルシア形螺合締結装置に関しての規格は、ＪＩＳＢ１１８６に定められている。一方、特許文献１においては、頭部の形状の改善などにより耐遅れ破壊特性に優れたトルシア形ボルト、ナットが示され、特許文献２には、ねじ山形状の改善により耐疲労強度を向上した耐疲労ねじが示され、特許文献３には、頭部形状の改善などにより耐応力腐食特性を改善したボルト等が示されている。又、特許文献４においては、締結時の共回りを防止したトルシア形ボルト等が示されており、特許文献５には、溶融金属メッキを施したトルシア形ボルトが示され、特許文献６には、接合面に亜鉛未クロム酸焼付被膜を施したトルシア形ボルト等が示され、特許文献７には、塗装を施すことにより、温度変化に依存せず、安定した軸力を得ることができる締結装置（トルシア形ボルト等）が示されている。さらに、一般的な耐腐食特性を備えたボルト、ナットが、特許文献８及び特許文献９に示されており、これらに記載の技術は、金属からなるボルト、ナットの外表面に高分子樹脂などの被覆層を設け、耐腐食特性の高い結合部材を得る技術である。
【０００３】
【特許文献１】
特公平６−８９７６８号公報
【０００４】
【特許文献２】
特公昭５３−２９７８０号公報
【０００５】
【特許文献３】
特開昭６２−１４１３０３号公報
【０００６】
【特許文献４】
特開平８−２２６４２５号公報
【０００７】
【特許文献５】
特開平８−１０５４２２号公報
【０００８】
【特許文献６】
特開平７−２１６９９４号公報
【０００９】
【特許文献７】
特開平１０−３３８８２４号公報
【００１０】
【特許文献８】
特開２０００−２４８２０４号公報
【００１１】
【特許文献９】
特開２０００−２９６３６３号公報
【００１２】
【発明が解決しようとする課題】
ところで、土木、建設分野における構造物においては、ボルト、ナットの結合部材を用いて連結一体化し、大形の構造物を形成することが一般的に行われている。しかも、このような構造物は長期間の高耐久性が要求されることから、ボルト、ナットにおいても高耐腐食特性が要求されることとなった。
【００１３】
又、金属の表面を被覆層で覆って耐腐食特性を惹起する技術として、上記したように、特許文献６〜９が提案されており、これらの技術をボルト、ナットに適用すれば、高耐腐食特性の結合部材が得られる。しかしながら、ボルト、ナットの締結時の外力により、摩擦面における塗膜が損傷を受け、ボルト、ナットを構成する金属部材同士が接触することとなり、この接触部分から腐食を引き起こすこととなった。
【００１４】
この発明は上記のような課題を解決するために成されたものであり、耐腐食性に富むトルシア形螺合締結装置を得ることを目的とする。
【００１５】
【課題を解決するための手段】
そこで、発明者は、鋭意研究した結果、発明者らの出願に係る、特開平９−２９６５２４号公報に記載された発明を従来技術に有機的に組み合わせ結合することにより、従来の課題を解決し、高耐腐食性に富む締結装置を提供することができ、しかも当該締結装置を土木、建設分野に適用することにより、長期間の高耐久性を具備する構造物を提供することができることを見出した。
【００１６】
この発明の請求項１に係るトルシア形螺合締結装置は、雄ねじ部を有するトルシア形高力ボルトと、トルシア形高力ボルトの雄ねじ部と螺合する雌ねじ部を有し、少なくとも該雌ねじ部がセラミックスにより形成されたナットとからなるものである。
【００１７】
又、セラミックス製のナットの外周に金属環を焼き嵌めにより嵌着することにより、ナットに圧縮力が付与され、高強度のナットが得られる。
【００１８】
請求項２に係るトルシア形螺合締結装置は、セラミックスが、アルミナ又はジルコニアであるものである。
【００１９】
【発明の実施の形態】
実施形態１
以下、この発明の実施の形態を図面とともに説明する。図１はこの発明の実施形態１によるナットの縦断面図を示し、ナット１はアルミナやジルコニアなどのセラミックスからなり、樽形状に形成され、その軸方向中心には雌ねじ部１ａが貫通して形成されるとともに、外周には平坦面に切欠された工具係合部１ｂが形成される。
【００２０】
図２は金属製のトルシア形高力ボルトの正面図を示し、高力ボルト２は円柱状の軸部２ａを有し、軸部２ａの一端には軸部２ａより径大で半球状の頭部２ｂが設けられ、その平面状の座面２ｃは軸部２ａ側に向けて設けられている。軸部２ａの先端側には、円周状にＶ溝状の破断溝２ｄが設けられ、破断溝２ｄの先端側には外周に軸方向の多数の溝部２ｅが形成されたピンテール２ｆが設けられる。さらに、軸部２ａの外周にはナット１の雌ねじ部１ａと螺合する雄ねじ部２ｇが形成されている。
【００２１】
上記構成において、高力ボルト２の雄ねじ部２ｇにナット１の雌ねじ部１ａを螺合することにより、トルシア形螺合締結装置が形成される。より具体的には、重ねられた複数の被連結部材（図示せず）の孔に高力ボルト２の雄ねじ部２ｇを挿通し、この雄ねじ部２ｇにナット１の雌ねじ部１ａを締め付けることにより、各被連結部材が連結される。又、雌ねじ部１ａの締付の際には、ピンテール２ｆが固定された状態でナット１の締付が行われ、締付反力がピンテール２ｆに加わることにより破断溝２ｄがねじ切られ、ピンテール２ｆは除去される。従って、締付トルクが一定となる。
【００２２】
実施形態１においては、ナット１をセラミックスにより形成したので、ナット１を金属製の高力ボルト２に螺着した場合に金属同士が接触することはなく、耐腐食性に富むトルシア形螺合締結装置が得られる。又、この締結装置を構造物の締結に用いれば、長期間の高耐久性を具備する構造物が得られる。
【００２３】
実施形態２
図３は実施形態２によるナットの縦断面図を示し、ナット３は金属により外形が円形に形成され、その軸方向中心には貫通した雌ねじ部３ａが形成される。この雌ねじ部３ａ（の表面）は、セラミックスの溶射層により形成されるとともに、高力ボルト２の雄ねじ部２ｇと螺合する。
【００２４】
実施形態２においては、ナット３の雌ねじ部３ａがセラミックスの溶射層により形成されているので、該雌ねじ部３ａを高力ボルト２の雄ねじ部２ｇに螺着した場合に、金属同士の接触は無く、実施形態１と同様な効果を奏する。
【００２５】
実施形態３
図４は実施形態３によるナットの縦断面図を示し、４は外形が樽状でセラミックス製のナットであり、その軸方向中心には高力ボルト２の雄ねじ部２ｇと螺合する雌ねじ部４ａが形成される。又、ナット４の外周には金属環５が焼き嵌めにより嵌着されている。
【００２６】
実施形態３においては、ナット４がセラミックスにより形成されているので、その雌ねじ部４ａを高力ボルト２の雄ねじ部２ａに螺着した場合に、金属同士の接触は無く、実施形態１と同様な効果を奏する。又、ナット４の外周に金属環を焼き嵌めにより嵌着したので、ナット４には圧縮力が加わることになり、高強度のナット４が得られる。
【００２７】
【発明の効果】
以上のようにこの発明によれば、ナットの少なくとも雌ねじ部をセラミックスにより形成したので、この雌ねじ部を高力ボルトの雄ねじ部に螺着した場合、金属同士の接触が無くなり、耐腐食性に富むトルシア形螺合締結装置が得られる。又、この締結装置を構造物の締結に用いれば、長期間の高耐久性に富む構造物が得られる。
【図面の簡単な説明】
【図１】この発明の実施形態１によるナットの縦断面図である。
【図２】この発明によるトルシア形高力ボルトの正面図である。
【図３】実施形態２によるナットの縦断面図である。
【図４】実施形態３によるナットの縦断面図である。
【符号の説明】
１，３，４…ナット
１ａ，３ａ，４ａ…雌ねじ部
２…トルシア形高力ボルト
２ｇ…雄ねじ部
５…金属環
【図１】
2004245253.tif 000003
【図２】
2004245253.tif 000004
【図３】
2004245253.tif 000005
【図４】
2004245253.tif 000006